【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
表示領域に設けられた複数の画素電極と、
複数に分割された駆動電極と、
画像信号に基づいて、前記複数の画素電極に表示用駆動電圧を印加する制御装置と、
前記表示領域の外側に位置する額縁領域に配設され、タッチ用駆動信号を前記駆動電極に供給するタッチ用配線と、
前記タッチ用配線と前記複数に分割された駆動電極とを接続する選択スイッチと、
前記複数に分割された駆動電極のうち、前記タッチ用駆動信号を供給する駆動電極を選択する駆動電極走査部と、を備え、
前記駆動電極走査部は、タッチ用駆動信号を前記複数に分割された駆動電極に供給するための複数の転送回路を前記額縁領域に備え、当該複数の転送回路のうち一部が前記選択スイッチを制御する転送回路である、タッチ検出機能付き表示装置。
【請求項２】
前記複数の転送回路は、前記タッチ用配線が延びる方向に並んで配置されている、請求項１に記載のタッチ検出機能付き表示装置。
【請求項３】
前記複数の転送回路は、前記選択スイッチを制御する第１の転送回路と、前記第１の転送回路へ転送回路出力を供給する第２の転送回路とを備えている、請求項１又は２に記載のタッチ検出機能付き表示装置。
【請求項４】
前記画素電極を選択する表示用転送回路が前記額縁領域にあり、１つの駆動電極に重なり合う、画素電極を選択するための表示用転送回路よりも、当該１つの駆動電極に対して備えられる前記転送回路の数が少ない、請求項１又は２に記載のタッチ検出機能付き表示装置。
【請求項５】
前記複数の画素電極に対して表示用駆動電圧を供給する表示用配線と、前記タッチ用駆動信号を供給する前記タッチ用配線とが並列に配置されている、請求項１乃至４の何れか一項に記載のタッチ検出機能付き表示装置。
【請求項６】
前記複数の画素電極に対して表示用駆動電圧を供給する表示用配線と、前記表示用駆動電圧よりも電圧の高い一定電圧を供給する前記タッチ用配線とが並列に配置されている、請求項１乃至４の何れか一項に記載のタッチ検出機能付き表示装置。
【請求項７】
前記表示用駆動電圧と、前記タッチ用駆動信号とが、時間をずらして、同じ前記タッチ用配線に供給される、請求項５又は６に記載のタッチ検出機能付き表示装置。
【請求項８】
前記複数の転送回路のうち、前記選択スイッチを制御する第１の転送回路と異なる第２の転送回路が空転送の転送回路出力を出力する、請求項３に記載のタッチ検出機能付き表示装置。
【請求項９】
タッチ検出の動作期間を識別する駆動電極選択信号のレベルの変化に応じて、前記タッチ用駆動信号が供給される駆動電極が選択される、請求項１乃至８の何れか一項に記載のタッチ検出機能付き表示装置。
【請求項１０】
タッチ検出の動作期間を識別する駆動電極選択信号を伝送する制御信号線が前記額縁領域に備えられ、当該制御信号線が前記複数の転送回路に接続されている、請求項１乃至８の何れか一項に記載のタッチ検出機能付き表示装置。
【請求項１１】
基板上に複数の画素電極がマトリックス状に配置された表示領域と、
前記画素電極と対向して設けられ、複数に分割された駆動電極と、
前記表示領域に画像を表示する画像表示機能を有する表示機能層と、
画像信号に基づいて、前記画素電極と前記駆動電極との間に表示用駆動電圧を印加して前記表示機能層の画像表示機能を発揮させるように画像表示制御を行う制御装置と、
前記駆動電極と対向して、前記駆動電極との間に静電容量を形成するタッチ検出電極と、
前記タッチ検出電極からの検出信号に基づき、近接する物体の位置を検出するタッチ検出部と、
前記表示領域の外側に位置する額縁領域に配設され、タッチ用駆動信号を前記駆動電極に供給するタッチ用配線と、
前記タッチ用配線と接続する前記駆動電極を選択する、選択スイッチと、を備え、
前記制御装置は、前記複数の駆動電極のうち前記タッチ用駆動信号を供給する駆動電極を選択する駆動電極走査部を備え、１つの前記駆動電極を選択する前記駆動走査部は、タッチ用駆動信号を前記駆動電極に供給するための複数の転送回路を前記額縁領域に備え、当該複数の転送回路のうち一部が前記選択スイッチを制御する転送回路である、
タッチ検出機能付き表示装置。
【手続補正２】
【補正対象書類名】明細書
【補正対象項目名】発明の名称
【補正方法】変更
【補正の内容】
【発明の名称】タッチ検出機能付き表示装置
【手続補正３】
【補正対象書類名】明細書
【補正対象項目名】００７７
【補正方法】変更
【補正の内容】
【００７７】
走査制御部５１は、制御部１１より供給された制御信号に基づいて、タッチ検出走査部５２に対して制御信号ＳＤＣＫ、走査開始信号ＳＤＳＴを供給する。また、表示用配線ＬＤＣには、上述した駆動信号生成部１４Ｑから出力端子６６Ｅを介して出力された、表示用駆動電圧ＶｃｏｍＤＣが供給される。タッチ用配線ＬＡＣは、上述した駆動信号生成部１４Ｑから出力端子６５Ｅを介して出力された、タッチ用駆動信号ＶｃｏｍＡＣが供給される。走査制御部５１は、駆動信号生成部１４Ｑからタッチ用駆動信号ＶｃｏｍＡＣが供給されている駆動電極選択信号ＶＣＯＭＳＥＬを、駆動部５３０に対して供給する。駆動電極選択信号ＶＣＯＭＳＥＬは、駆動信号生成部１４Ｑから駆動電極ＣＯＭＬへタッチ用駆動信号ＶｃｏｍＡＣを供給する期間、つまりタッチ検出期間を識別するための信号である。
【手続補正４】
【補正対象書類名】明細書
【補正対象項目名】００８３
【補正方法】変更
【補正の内容】
【００８３】
この構成により、駆動部５３は、転送回路出力ＳＲｏｕｔが高レベル、かつ駆動電極選択信号ＶＣＯＭＳＥＬが高レベルの場合に、タッチ用駆動信号ＶｃｏｍＡＣを駆動信号Ｖｃｏｍとして出力する。駆動部５３は、転送回路出力ＳＲｏｕｔが低レベルかつ、かつ駆動電極選択信号ＶＣＯＭＳＥＬが低レベルの場合に、駆動電極ブロックＢをタッチ用配線ＬＡＣから切り離し、表示用配線ＬＤＣに接続する。ここで、タッチ用駆動信号ＶｃｏｍＡＣの出力先として選択された駆動電極ブロックＢは、選択駆動電極ブロックＳＴＸである。タッチ用駆動信号ＶｃｏｍＡＣの出力先として選択されていない駆動電極ブロックＢは、非選択駆動電極ブロックＮＴＸである。例えば、図１７に示す駆動部５３（ｋ＋２）が、ｋ＋２番目の駆動電極ブロックＢ（ｋ＋２）に属する複数の駆動電極ＣＯＭＬにタッチ用駆動信号ＶｃｏｍＡＣを印加するので、選択駆動電極ブロックＳＴＸは、駆動電極ブロックＢ（ｋ＋２）である。そして、タッチ用駆動信号ＶｃｏｍＡＣの出力先として選択されていない駆動電極ブロックＢ（ｋ）、Ｂ（ｋ＋１）、Ｂ（ｋ＋３）は、非選択駆動電極ブロックＮＴＸである。
【手続補正５】
【補正対象書類名】明細書
【補正対象項目名】０１３５
【補正方法】変更
【補正の内容】
【０１３５】
走査制御部５１は、制御部１１より供給された制御信号に基づいて、タッチ検出走査部５２に対して走査開始信号ＳＤＳＴを供給する。また、配線ＬＣＣには、上述した駆動信号生成部１４Ｑから出力端子６５Ｅを介して出力された、表示用駆動電圧ＶｃｏｍＤＣ及び駆動信号ＶｃｏｍＡＣのうちの一方が供給される。走査制御部５１は、駆動電極選択信号ＶＣＯＭＳＥＬを、駆動部５３０に対して供給する。駆動電極選択信号ＶＣＯＭＳＥＬは、駆動信号生成部１４Ｑから配線ＬＣＣを経由して駆動電極ＣＯＭＬへ駆動信号ＶｃｏｍＡＣを供給する期間を識別するための信号である。
【手続補正６】
【補正対象書類名】明細書
【補正対象項目名】０１４１
【補正方法】変更
【補正の内容】
【０１４１】
タッチ検出機能付き表示装置１は、表示期間Ｐｄにおいて、全てのＳＷ１〜ＳＷ４をオン動作し、駆動電極ＣＯＭＬに対して表示用駆動電圧ＶｃｏｍＤＣを印加する。以上説明したように、実施形態４に係るタッチ検出機能付き表示装置１は、制御装置が、時間をずらして表示用駆動電圧ＶｃｏｍＤＣとタッチ用駆動信号ＶｃｏｍＡＣとを同じタッチ用配線ＬＣＣに供給している。このため、実施形態４に係るタッチ検出機能付き表示装置１は、さらに額縁領域Ｇｄを抑制できる。これにより、額縁領域の回路全体を表示領域Ａｄへ寄せることもでき、水分侵入又は割れなど発生を抑制して品質を向上できる。又は、実施形態１に係る額縁領域Ｇｄは、タッチ用配線ＬＡＣの抵抗を低減させることもできる。その結果、タッチ用駆動信号ＶｃｏｍＡＣの波形のなまりが改善され、タッチ検出の精度が向上することができる。そして、制御信号ＳＤＣＫ及びＳＤＣＫ２を発生させる回路が不要になり、ＣＯＧ１９の回路が小さくなることから、ＩＣの小型化に寄与できる。あるいは、実施形態４に係る額縁領域Ｇｄは、タッチ用配線ＬＡＣの抵抗を低減させ、かつ額縁領域Ｇｄを狭くすることもできる。